(57)【要約】      （修正有）【課題】動画等を大画面表示可能な電気光学装置及び該電気光学装置を備えた電子機器を提供する。【解決手段】第２の表示部５は液晶装置１０Ｂに平面的に重なるように配置され、ＬＥＤ２８Ａからの光を第１の導光板を介して表示画面Ｂに導くための第２の導光板１４Ｂを備えると共に、第１、第２の表示部４、５は、両表示部４、５を回動させるヒンジ部を有する。このため、ヒンジ部を介して第１の表示部４に対して第２の表示部５を回動させることで、表示画面Ａ、Ｂを一つの表示画面にし、ＬＥＤ２８Ａ等からの光を第１の導光板、第２の導光板１４Ｂを介して、表示画面Ａ、Ｂに導くことができる。従って、動画等を大画面表示可能となる。また、液晶装置１０ＢにはＬＥＤが不要であるので、液晶装置１０Ｂの構造を単純化でき低コスト化を図ることができる。【選択図】  図１１
2008203483.tif 000002
【特許請求の範囲】
【請求項１】
光源を有する第１の電気光学パネルと、
前記第１の電気光学パネルに回動可能に設けられた第２の電気光学パネルと、
前記第１の電気光学パネルに平面的に重なるように配置され、前記光源からの光を第１
の表示画面に導くための第１の導光部と、
前記第２の電気光学パネルに平面的に重なるように配置され、前記光源からの光を前記
第１の導光部を介して第２の表示画面に導くための第２の導光部とを具備し、
前記第１の電気光学パネルと前記第２の電気光学パネルの少なくとも一方は、前記第１
の電気光学パネル又は前記第２の電気光学パネルを回動させる回動機構を有することを特
徴とする電気光学装置。
【請求項２】
前記第１の導光部は傾斜した第１の傾斜側面を有し、
前記第２の導光部は傾斜した第２の傾斜側面を有し、
前記第１の電気光学パネルに対する前記第２の電気光学パネルの開く方向への回動に伴
い前記第１の傾斜側面と前記第２の傾斜側面が隣接して対向することを特徴とする請求項
１に記載の電気光学装置。
【請求項３】
前記第１の導光部と前記第２の導光部は一体的に形成され、前記第１の電気光学パネル
に対する前記第２の電気光学パネルの閉じる方向への回動に伴い曲がる導光板を有するこ
とを特徴とする請求項１に記載の電気光学装置。
【請求項４】
前記光源は、前記第１の導光部に沿うように配設された複数の発光素子を有し、
前記複数の発光素子は、
光の射出方向が前記第１の導光部に向くように配置された第１の発光素子と、
光の射出方向が前記第２の導光部に向くように配置された第２の発光素子と
を有していることを特徴とする請求項１から請求項３のうちいずれか一項に記載の電気光
学装置。
【請求項５】
前記光源からの光を前記第２の導光部に導く光ファイバを更に具備することを特徴とす
る請求項１から請求項４のうちいずれか一項に記載の電気光学装置。
【請求項６】
前記第１の電気光学パネルに回動可能に設けられた第３の電気光学パネルと、
前記第３の電気光学パネルに平面的に重なるように配置された第３の導光部と
を更に具備することを特徴とする請求項１から請求項５のうちいずれか一項に記載の電
気光学装置。
【請求項７】
前記第１の電気光学パネルは、前記第１の表示画面に第１の辺及び第２の辺を有し、
前記回動機構は、前記第１の電気光学パネルの前記第１の辺側に設けられた第１の回動
軸と、前記第１の電気光学パネルの前記第２の辺側に設けられた第２の回動軸とを有する
ことを特徴とする請求項６に記載の電気光学装置。
【請求項８】
前記第１の電気光学パネルの前記第１の表示画面側とは反対側の面が前記第２の電気光
学パネルの前記第２の表示画面側とは反対側の面に対向するように折りたたまれており、
前記第２の電気光学パネルの前記第２の表示画面が前記第３の電気光学パネルの前記第
３の表示画面側とは反対側の面に対向するように折りたたまれていることを特徴とする請
求項７に記載の電気光学装置。
【請求項９】
請求項１から請求項８のうちのいずれか一項に記載の電気光学装置を備えたことを特徴
とする電子機器。
【発明の詳細な説明】
【技術分野】
【０００１】
本発明は、パーソナルコンピュータや携帯電話機等に用いられる電気光学装置及び該電
気光学装置を備えた電子機器に関する。
【背景技術】
【０００２】
従来、パーソナルコンピュータや携帯電話機等といった電子機器の表示装置として電気
光学装置例えば液晶装置等が用いられている。この携帯電話等は、例えば、多機能化に伴
い表示すべき情報量が増大している。このため、多くの情報を表示することに対応するこ
とができないという問題があった。
【０００３】
この問題を解決するために、例えば２つのディスプレイを装備して、これらの２つのデ
ィスプレイが並ぶように回動させることで、多量の情報を一度に表示しようとする技術が
開示されている。（例えば、特許文献１参照。）。
【特許文献１】特開２００４−１２０７０３号公報（段落［００２２］、図２）。
【発明の開示】
【発明が解決しようとする課題】
【０００４】
しかしながら、例えば、並ぶように配設された２個のディスプレイを一つのディスプレ
イとして用いるものではないので、例えば動画等を大きなディスプレイで観ることができ
ない、という問題がある。
【０００５】
本発明は、上述の課題に鑑みてなされるもので、例えば動画等を大画面表示可能な電気
光学装置及び該電気光学装置を備えた電子機器を提供することを目的とする。
【課題を解決するための手段】
【０００６】
上記目的を達成するために、本発明の主たる観点に係る電気光学装置は、光源を有する
第１の電気光学パネルと、前記第１の電気光学パネルに回動可能に設けられた第２の電気
光学パネルと、前記第１の電気光学パネルに平面的に重なるように配置され、前記光源か
らの光を第１の表示画面に導くための第１の導光部と、前記第２の電気光学パネルに平面
的に重なるように配置され、前記光源からの光を前記第１の導光部を介して第２の表示画
面に導くための第２の導光部とを具備し、前記第１の電気光学パネルと前記第２の電気光
学パネルの少なくとも一方は、前記第１の電気光学パネル又は前記第２の電気光学パネル
を回動させる回動機構を有することを特徴とする。
【０００７】
本発明では、第２の電気光学パネルに平面的に重なるように配置され、光源からの光を
第１の導光部を介して第２の表示画面に導くための第２の導光部を備えると共に、第１の
電気光学パネルと第２の電気光学パネルの少なくとも一方は、第１の電気光学パネル又は
前記第２の電気光学パネルを回動させる回動機構を有する。このため、回動機構を介して
第１の電気光学パネルに対して第２の電気光学パネルを回動させることで、第１の表示画
面と第２の表示画面とを例えば一つの表示画面にし、第１の電気光学パネルの光源からの
光を第１の導光部、第２の導光部を介して、第１の表示画面及び第２の表示画面に導くこ
とができる。従って、例えば動画等を大画面表示することができる。また、第２の電気光
学パネルには光源が不要であるので、第２の電気光学パネルの構造を単純化することがで
きると共に、光源等が不要となる分、低コスト化を図ることができる。
【０００８】
なお、前記第２の導光部が前記光源からの光を直接前記第２の表示画面に導くように配
置されていてもよい。
【０００９】
本発明の一の形態によれば、前記第１の導光部は傾斜した第１の傾斜側面を有し、前記
第２の導光部は傾斜した第２の傾斜側面を有し、前記第１の電気光学パネルに対する前記
第２の電気光学パネルの開く方向への回動に伴い前記第１の傾斜側面と前記第２の傾斜側
面が隣接して対向することを特徴とする。これにより、第１の電気光学パネルに対する第
２の電気光学パネルの開く方向への回動に伴い第１の傾斜側面と第２の傾斜側面が隣接し
て対向するので、この開いた状態で、第１の電気光学パネルの光源からの光を第１の導光
部の第１の傾斜側面、第２の導光部の第２の傾斜側面を介して第２の導光部に効率的に伝
播することができ、第２の表示画面を明るくすることができる。また、第１の表示画面と
第２の表示画面との間にも光を導くことができ、第１の表示画面と第２の表示画面との間
での表示性能を向上させることができる。
【００１０】
本発明の一の形態によれば、前記第１の導光部と前記第２の導光部は一体的に形成され
、前記第１の電気光学パネルに対する前記第２の電気光学パネルの閉じる方向への回動に
伴い曲がる導光板を有することを特徴とする。これにより、第１の導光部と第２の導光部
は一体的に形成され、第１の電気光学パネルに対する第２の電気光学パネルの閉じる方向
への回動に伴い曲がる導光板を有するので、例えば一枚の導光板により光源からの光を、
例えば光漏れを防止しつつ第２の電気光学パネルに導くことができる。
【００１１】
本発明の一の形態によれば、前記光源は、前記第１の導光部に沿うように配設された複
数の発光素子を有し、前記複数の発光素子は、光の射出方向が前記第１の導光部に向くよ
うに配置された第１の発光素子と、光の射出方向が前記第２の導光部に向くように配置さ
れた第２の発光素子とを有していることを特徴とする。これにより、第１の発光素子によ
り第１の導光部に向けて光を射出することができると共に、第２の発光素子により第２の
導光部に向けて光を射出することができる。従って、第１、第２の発光素子からの光を第
１、第２の導光板に効率よく導くことができる。
【００１２】
本発明の一の形態によれば、前記光源からの光を前記第２の導光部に導く光ファイバを
更に具備することを特徴とする。これにより、第１の電気光学パネルの光源からの光を光
ファイバにより第２の電気光学パネルに導き、第２の表示画面の明るさを向上させること
ができる。
【００１３】
本発明の一の形態によれば、前記第１の電気光学パネルに回動可能に設けられた第３の
電気光学パネルと、前記第３の電気光学パネルに平面的に重なるように配置された第３の
導光部とを更に具備することを特徴とする。これにより、第１の電気光学パネルに対して
第２の電気光学パネル及び第３の電気光学パネルを回動させることで、第１の表示画面、
第２の表示画面及び第３の表示画面を例えば一つの表示画面にし、第１の表示画面の大き
さの３倍の大きさの一表示画面で例えば動画等を観ることができる。また、第１の電気光
学パネルの光源からの光を第１の導光部、第３の導光部を介して第３の表示画面に導くこ
とができる。従って、例えば第３の電気光学パネルには光源が不要であるので、第３の電
気光学パネルの構造を単純化することができると共に、光源等が不要となる分、低コスト
化を図ることができる。
【００１４】
本発明の一の形態によれば、前記第１の電気光学パネルは、前記第１の表示画面に第１
の辺及び第２の辺を有し、前記回動機構は、前記第１の電気光学パネルの前記第１の辺側
に設けられた第１の回動軸と、前記第１の電気光学パネルの前記第２の辺側に設けられた
第２の回動軸とを有することを特徴とする。これにより、第１の回動軸及び第２の回動軸
を軸として例えば第１の電気光学パネルに対して第２の電気光学パネル及び第３の電気光
学パネルを回動させることで、第１の表示画面、第２の表示画面及び第３の表示画面を例
えば一つの表示画面にし、第１の表示画面の大きさの３倍の大きさの一表示画面で例えば
動画等を観ることができる。また、第１の電気光学パネルに対して第２の電気光学パネル
が折りたたまれた状態で、さらに第３の電気光学パネルを折りたたむことができる。従っ
て、薄型化を図りつつ携帯性に優れた電子機器を得ることができる。更に、第１の電気光
学パネルの光源からの光を第１の導光部、第３の導光部を介して第３の表示画面に導くこ
とができる。従って、例えば第３の電気光学パネルには光源が不要であるので、第３の電
気光学パネルの構造を単純化することができると共に、光源等が不要となる分、低コスト
化を図ることができる。
【００１５】
本発明の一の形態によれば、前記第１の電気光学パネルの前記第１の表示画面側とは反
対側の面が前記第２の電気光学パネルの前記第２の表示画面側とは反対側の面に対向する
ように折りたたまれており、前記第２の電気光学パネルの前記第２の表示画面が前記第３
の電気光学パネルの前記第３の表示画面側とは反対側の面に対向するように折りたたまれ
ていることを特徴とする。これにより、例えば第１、第２及び第３の電気光学パネルが平
面的に重なるように折りたたんだ状態にすることができるので、携帯性を向上させること
ができる。
【００１６】
本発明の他の観点に係る電子機器は、上記の電気光学装置を備えたことを特徴とする。
【００１７】
本発明では、例えば上述した電気光学装置を電子機器に用いることで、例えば大きな画
面で動画を観ることができる電子機器を得ることができる。
【発明を実施するための最良の形態】
【００１８】
以下、本発明に係る実施形態を図面に基づき説明する。なお、以下実施形態を説明する
にあたっては、電子機器としての携帯電話及び電子機器に用いられる電気光学装置として
の液晶装置、具体的には反射半透過型のＴＦＴ（Ｔｈｉｎ  Ｆｉｌｍ  Ｔｒａｎｓｉｓｔ
ｏｒ）アクティブマトリックス方式の液晶装置について説明するが、これに限られるもの
ではない。また、以下の図面においては各構成をわかりやすくするために、実際の構造と
各構造における縮尺や数等が異なっている。
【００１９】
（実施形態）
【００２０】
図１は本発明に係る実施形態の携帯電話の概略斜視図、図２は図１の携帯電話の大画面
表示時の概略斜視図、図３は図１の携帯電話の大画面表示時の概略背面図、図４は図２の
携帯電話１のＩ−Ｉ断面図、図５は図１の携帯電話のＩＩ−ＩＩ断面図である。
【００２１】
携帯電話１は、図１に示すように、例えば文字や画像等を表示するための表示部２と、
例えば文字等を入力するための入力操作部３とを備えている。なお、表示部２に対して図
示しないヒンジ部を介して入力操作部３が回動可能としてもよい。
【００２２】
表示部２は、図１、図２に示すように、第１の表示部４と、第１の表示部４の一側（図
１の左側）に回動可能に設けられた第２の表示部５と、第１の表示部４の他側（図１の右
側）に回動可能に設けられた第３の表示部６とを備えている。
【００２３】
第１の表示部４は、図２に示すように、例えば文字や画像等が表示される表示画面Ａを
有する第１の電気光学パネルとしての後述する液晶装置１０Ａと、液晶装置１０Ａを支持
するフレーム１１Ａとを備えている。表示画面Ａは、略矩形状であり、平行な辺ａ、ｂ、
辺ａ及び辺ｂに直角に交わる辺ｃを備えている。
【００２４】
フレーム１１Ａは、図３に示すように、第１の表示部４の第２の表示部５側（図３の右
側）に設けられた回動機構（以下、ヒンジ機構という。）の一部を構成するヒンジ部４Ａ
と、第１の表示部４の第３の表示部６側（図３の左側）に設けられたヒンジ機構の一部を
構成するヒンジ部４Ｂとを備えている。
【００２５】
ヒンジ部４Ａは、図４に示すように、第１の表示部４に対する第２の表示部５の回動の
軸となる回動軸Ｏ１を有している。ヒンジ部４Ｂは、図４に示すように、第１の表示部４
に対する第３の表示部６の回動の軸となる回動軸Ｏ２を有している。
【００２６】
回動軸Ｏ２は、図４に示すように、第２の表示部５の厚さｈに応じて、回動軸Ｏ１（例
えばフレーム１１Ａ）より第１の表示部４から距離Ｅだけ離れて配置されている。
【００２７】
第２の表示部５は、図２に示すように、表示画面Ｂを有する第２の電気光学パネルとし
ての後述する液晶装置１０Ｂと、液晶装置１０Ｂを支持するフレーム１１Ｂとを備えてい
る。表示画面Ｂは、略矩形状であり、辺ｂと平行な辺ｄを備えている。
【００２８】
フレーム１１Ｂは、図３に示すように、第２の表示部５の第１の表示部４側に設けられ
たヒンジ機構の一部を構成するヒンジ部５Ａを備えている。
【００２９】
ヒンジ部５Ａは、図３に示すように、ヒンジ部４Ａの両端を挟むようにそれぞれヒンジ
部４Ａと同じ回動軸Ｏ１上に設けられている。回動軸Ｏ１は、図３に示すように、第１の
表示部４に対する第２の表示部５の回動の軸である。
【００３０】
図２に示すように、表示画面Ａと表示画面Ｂとが同一平面内に位置するように、第１の
表示部４に対して第２の表示部５を回動させることができるように構成されている。この
とき、図４に示すように、表示画面Ａと表示画面Ｂとが後述するフレーム１１Ａを介して
隣接するように配設される。すなわち、表示画面Ａと表示画面Ｂとが僅かな隙間を介して
隣り合うように構成されている。また、図３〜図５に示すように、ヒンジ部４Ａ及びヒン
ジ部５Ａにより、第１の表示部４に対して第２の表示部５を矢印Ｌ方向に回動させ折りた
たむことができるように構成されている。図４では折りたたまれたときの第２の表示部５
を鎖線で示した。
【００３１】
図５に示すように、第１の表示部４は、第１の表示部４に対する第２の表示部５の折り
たたみに伴い後述する第１の傾斜側面３１を覆う第１の被覆部材３５を備えている。第１
の被覆部材３５は、例えばこの折りたたみに伴いヒンジ部４Ａ等から引き出されるように
構成されている。第１の被覆部材３５の材質は、例えば樹脂等が用いられる。
【００３２】
図５に示すように、第１の表示部４は、第１の表示部４に対する第３の表示部６の折り
たたみに伴い後述する第２の傾斜側面３２を覆う第２の被覆部材３６を備えている。第２
の被覆部材３６は、例えばこの折りたたみに伴いヒンジ部４Ｂ等から引き出されるように
構成されている。第２の被覆部材３６の材質は、例えば樹脂等が用いられる。
【００３３】
第３の表示部６は、図２に示すように、表示画面Ｃを有する第３の電気光学パネルとし
ての後述する液晶装置１０Ｃと、液晶装置１０Ｃを支持するフレーム１１Ｃとを備えてい
る。表示画面Ｃは、略矩形状であり、辺ａと平行な辺ｅを備えている。
【００３４】
フレーム１１Ｃは、図３に示すように、第３の表示部６の第１の表示部４側に設けられ
たヒンジ機構の一部を構成するヒンジ部６Ａを備えている。
【００３５】
ヒンジ部６Ａは、図３に示すように、ヒンジ部４Ｂの両端を挟むようにそれぞれヒンジ
部４Ｂと同じ回動軸Ｏ２上に設けられている。回動軸Ｏ２は、第１の表示部４に対する第
３の表示部６の回動の軸である。
【００３６】
図２に示すように、表示画面Ａと表示画面Ｃとが同一平面内に位置するように、第１の
表示部４に対して第３の表示部６を回動させることができるように構成されている。この
とき、図４に示すように、表示画面Ａと表示画面Ｃとが後述するフレーム１１Ａを介して
隣接するように配設される。すなわち、表示画面Ａと表示画面Ｃとが僅かな隙間を介して
隣り合うように構成されている。また、図３〜図５に示すように、ヒンジ部４Ｂ及びヒン
ジ部６Ａにより、第１の表示部４に対して第３の表示部６を矢印Ｒ方向に回動させ折りた
たむことができるように構成されている。図４では折りたたまれたときの第３の表示部６
を一点鎖線で示した。
【００３７】
以上、図２に示すように、表示画面Ａ、表示画面Ｂ及び表示画面Ｃが同一平面内に配設
され、隣り合う表示画面がそれぞれフレーム１１Ａ等を介して隣接し、一つの大画面をな
すように構成されている。また、例えば、携帯時には、図１、図５に示すように、第１の
表示部４に対して、第２の表示部５及び第３の表示部６を折りたたみ小型化することがで
きるように構成されている。
【００３８】
図６は図１の携帯電話１に搭載された液晶装置１０Ａの概略斜視図、図７は図１の携帯
電話１のＬＥＤの配置を示す部分正面図である。
【００３９】
液晶装置１０Ａは、液晶パネル１２Ａと、液晶パネル１２Ａに接続された回路基板１３
と、液晶パネル１２Ａに平面的に重なるように配置された第１の導光板１４Ａとを備えて
いる。なお、図６においては、液晶装置１０Ａを支持するフレーム１１Ａ等については図
示を省略した。
【００４０】
液晶パネル１２Ａは、基板１５と、基板１５に対向するように設けられた基板１６と、
基板１５、１６の間に設けられたシール材１７及び基板１５、１６により封止された図示
しない液晶とを備えている。液晶には、例えばＴＮ（Ｔｗｉｓｔｅｄ  Ｎｅｍａｔｉｃ）
が用いられている。
【００４１】
基板１５及び基板１６は、例えばガラスや合成樹脂といった透光性を有する材料からな
る板状部材である。基板１５の液晶側には、ゲート電極１８、ソース電極１９、薄膜トラ
ンジスタ素子Ｔ及び画素電極２０が形成されており、基板１６の液晶側には、共通電極１
６ａが形成されている。
【００４２】
ゲート電極１８はＸ方向に、ソース電極１９はＹ方向に、それぞれ例えばアルミニウム
等の金属材料等によって形成されている。ソース電極１９は、例えば図６に示すように上
半分が左側に、下半分が右側に引き回されて形成されている。なお、ゲート電極１８及び
ソース電極１９の本数は、液晶装置１０Ａの解像度や表示領域の大きさに応じて適宜変更
可能である。
【００４３】
薄膜トランジスタ素子Ｔは、ゲート電極１８、ソース電極１９及び画素電極２０にそれ
ぞれ接続される３つの端子を備えている。薄膜トランジスタ素子Ｔは画素電極２０、ゲー
ト電極１８、ソース電極１９に接続されている。これにより、ゲート電極１８に電圧を印
加したときにソース電極１９から画素電極２０に又はその逆に電流が流れるように構成さ
れている。
【００４４】
また、基板１５は、基板１６の外縁から張り出した領域（以下、「張り出し部」と表記
する）１５ａを備えている。張り出し部１５ａの面上には、入力配線２１、出力配線２２
が付設されている。
【００４５】
入力配線２１は、図６に示すように、基板１５の張り出し部１５ａに複数配列されてい
る。入力配線２１は、回路基板１３に付設された図示しない出力配線にＡＣＦ等を介して
電気的に接続されている。また、入力配線２１は、張り出し部１５ａに実装されたドライ
バＩＣ２３の図示しない入力端子にＡＣＦ等を介して電気的に接続されている。
【００４６】
出力配線２２は、図６に示すように、ゲート電極１８、ソース電極１９につながってい
ると共に、ドライバＩＣ２３の図示しない出力端子にＡＣＦ等を介して電気的に接続され
ている。
【００４７】
なお、図５に示すように例えば基板１５の液晶側とは反対側には偏光板２４、カバーガ
ラス２５が配置されている。
【００４８】
回路基板１３は、図６に示すように、張り出し部１５ａに例えばＡＣＦ等を介して電気
的に接続されている。回路基板１３は、図６に示すように、可撓性基材２６と、可撓性基
材２６に設けられた図示しない出力配線、入力配線と、例えばドライバＩＣ２３等を制御
するために可撓性基材２６に実装された半導体ＩＣ２７とを備え、図７に示すように、光
源となるＬＥＤ２８Ａ、２８Ｂ、２８Ｃ、２８Ｄ、２８Ｅを備えている。
【００４９】
可撓性基材２６に設けられた図示しない出力配線は、ＡＣＦ等を介して入力配線２１に
電気的に接続されている。
【００５０】
ＬＥＤ２８Ａ〜２８Ｅは、図７に示すように、辺ｃに沿うように配設されている。
【００５１】
ＬＥＤ２８Ｃは、図７に示すように、光を第１の導光板１４Ａに向けて照射することが
できるように射出面を第１の導光板１４Ａに向けて配置されている。ＬＥＤ２８Ａは、図
７に示すように、光を第２の導光板１４Ｂ（図４参照）に向けて照射することができるよ
うに射出面を第２の導光板１４Ｂに向けて配置されている。ＬＥＤ２８Ａからの光は例え
ば第１の導電板１４Ａを介して第２の導電板１４Ｂに導かれる。ＬＥＤ２８Ｅは、図７に
示すように、光を第３の導光板１４Ｃ（図４参照）に向けて照射することができるように
射出面を第３の導光板１４Ｃに向けて配置されている。ＬＥＤ２８Ｅからの光は例えば第
１の導電板１４Ａを介して第３の導電板１４Ｃに導かれる。
【００５２】
なお、ＬＥＤ２８Ａからの光が直接第２の導光板１４Ｂに到達するようにＬＥＤ２８Ａ
を配置してもよいし、ＬＥＤ２８Ｅからの光が直接第３の導光板１４Ｃに到達するように
ＬＥＤ２８Ｅを配置してもよい。
【００５３】
また、図７に示すように、ＬＥＤ２８Ａ〜２８Ｅが配設された領域（表示画面Ａと入力
操作部３との間の領域）、第２の表示部５の下端部５５及び第３の表示部６の下端部６５
は、図示しない配線等が配置される配線領域である。
【００５４】
第１の導光板１４Ａは、図６に示すように、基板１５に平面的に重なるように配置され
ている。第１の導光板１４Ａは、基板１５から離れるにつれ第１の導光板１４Ａの中心に
近付くように傾斜する第１の傾斜側面３１及び第２の傾斜側面３２を有している（図４参
照）。すなわち、第１の導光板１４Ａの端面の形状は略台形状となっている。
【００５５】
なお、第２の表示部５に内蔵された液晶装置１０Ｂ及び第３の表示部６に内蔵された液
晶装置１０Ｃについては、液晶装置１０Ａと異なる箇所を中心的に説明する。
【００５６】
液晶装置１０Ｂは、図４に示すように、液晶装置１０Ａに比べて、第１の導光板１４Ａ
の代わりに第２の導光板１４Ｂを備える点及びＬＥＤ２８Ａ〜２８Ｅを備えていない点が
異なっている。
【００５７】
第２の導光板１４Ｂは、図４に示すように、基板１５、１６を備える液晶パネル１２Ｂ
の表示画面Ｂ側とは反対側に設けられている。第２の導光板１４Ｂは、図４に示すように
、第１の表示部４に対して第２の表示部５を開く方向に回動させて同一平面内に位置させ
たときに、第１の導光板１４Ａの第１の傾斜側面３１に隣接して対向する第３の傾斜側面
３３を備えている。すなわち、第１の表示部４、第２の表示部５を同一平面内に位置させ
たときに、第１の傾斜端面３１と、第３の傾斜端面３３とは隣接して略平行になり対面す
るようになる。
【００５８】
液晶装置１０Ｃは、図４に示すように、液晶装置１０Ａに比べて、第１の導光板１４Ａ
の代わりに第３の導光板１４Ｃを備える点及びＬＥＤ２８Ａ〜２８Ｅを備えていない点が
異なっている。
【００５９】
第３の導光板１４Ｃは、図４に示すように、基板１５、１６を備える液晶パネル１２Ｃ
の表示画面Ｃ側とは反対側に設けられている。第３の導光板１４Ｃは、図４に示すように
、第１の表示部４に対して第３の表示部６を開く方向に回動させて同一平面内に位置させ
たときに、第１の導光板１４Ａの第２の傾斜側面３２に隣接して対向する第４の傾斜側面
３４を備えている。すなわち、第１の表示部４、第３の表示部６を同一平面内に位置させ
たときに、第２の傾斜端面３２と、第４の傾斜端面３４とは隣接して略平行になり対面す
るようになる。
【００６０】
図８は図１の携帯電話１の表示制御系の概略構成図である。
【００６１】
携帯電話１は、表示制御系として例えば図８に示すように液晶パネル１２Ａ等及び表示
制御回路３９０などを備え、その表示制御回路３９０は表示情報出力源３９１、表示情報
処理回路３９２、電源回路３９３及びタイミングジェネレータ３９４などを有する。
【００６２】
また、液晶パネル１２Ａ等には表示領域Ｉを駆動するドライバＩＣ２３等を含む駆動回
路３６１を有する。
【００６３】
表示情報出力源３９１は、ＲＯＭ（Ｒｅａｄ  Ｏｎｌｙ  Ｍｅｍｏｒｙ）やＲＡＭ（Ｒ
ａｎｄｏｍ  Ａｃｃｅｓｓ  Ｍｅｍｏｒｙ）などからなるメモリと、磁気記録ディスクや
光記録ディスクなどからなるストレージユニットと、デジタル画像信号を同調出力する同
調回路とを備えている。更に表示情報出力源３９１は、タイミングジェネレータ３９４に
よって生成された各種のクロック信号に基づいて、所定フォーマットの画像信号などの形
で表示情報を表示情報処理回路３９２に供給するように構成されている。
【００６４】
また、表示情報処理回路３９２はシリアル−パラレル変換回路、増幅・反転回路、ロー
テーション回路、ガンマ補正回路、クランプ回路などの周知の各種回路を備え、入力した
表示情報の処理を実行して、その画像情報をクロック信号ＣＬＫと共に駆動回路３６１へ
供給する。また、電源回路３９３は、上述した各構成要素に夫々所定の電圧を供給する。
【００６５】
このように本実施形態によれば、第２の表示部５は液晶装置１０Ｂに平面的に重なるよ
うに配置され、ＬＥＤ２８Ａからの光を第１の導光板１４Ａを介して表示画面Ｂに導くた
めの第２の導光板１４Ｂを備えていると共に、第１の表示部４と第２の表示部５は、両表
示部４、５を回動させるヒンジ部４Ａ、５Ａを有している。このため、ヒンジ部４Ａ、５
Ａを介して第１の表示部４に対して第２の表示部５を回動させることで、表示画面Ａと表
示画面Ｂとを例えば一つの表示画面にし、ＬＥＤ２８Ａ等からの光を第１の導光板１４Ａ
、第２の導光板１４Ｂを介して、表示画面Ａ及び表示画面Ｂに導くことができる。従って
、例えば液晶装置１０ＢにはＬＥＤが不要であるので、液晶装置１０Ｂの構造を単純化す
ることができると共に、ＬＥＤ等が不要となる分、低コスト化を図ることができる。
【００６６】
なお、第２の導光板１４ＢがＬＥＤからの光を直接表示画面Ｂに導くように配置されて
いてもよい。
【００６７】
また、第１の導光板１４Ａは傾斜した第１の傾斜側面３１を備え、第２の導光板１４Ｂ
は傾斜した第３の傾斜側面３３を備え、第１の表示部４に対する第２の表示部５の開く方
向への回動に伴い第１の傾斜側面３１と第２の傾斜側面３３が隣接して対向する。これに
より、この開いた状態で、液晶装置１０ＡのＬＥＤ２８Ａ等からの光を第１の導光板１４
Ａの第１の傾斜側面３１、第２の導光板１４Ｂの第３の傾斜側面３３を介して第２の導光
板に効率的に伝播することができ、表示画面Ｂを明るくすることができる。また、表示画
面Ａと表示画面Ｂとの間にも光を導くことができ、表示画面Ａと表示画面Ｂとの間での表
示性能を向上させることができる。
【００６８】
更に、光の射出方向が第１の導光板１４Ａに向くように配置されたＬＥＤ２８Ｃ等と、
光の射出方向が第２の導光板１４Ｂに向くように配置されたＬＥＤ２８Ａ等とを備えてい
る。これにより、ＬＥＤ２８Ｃ等により第１の導光板１４Ａに向けて光を射出することが
できると共に、ＬＥＤ２８Ｃ等により第２の導光板１４Ｂに向けて光を射出することがで
きる。従って、ＬＥＤ２８Ａ、ＬＥＤ２８Ｃ等からの光を第２、第１の導光板１４Ｂ、１
４Ａに効率よく導くことができる。
【００６９】
また、第１の表示部４に対して第２の表示部５及び第３の表示部６を回動させることで
、図２に示すように、表示画面Ａ、表示画面Ｂ及び表示画面Ｃを同一平面内に位置させる
ことができる。この結果、表示画面Ａ、表示画面Ｂ及び表示画面Ｃを例えば一つの表示画
面にし、表示画面Ａの大きさの３倍の大きさの一表示画面で例えば動画等を観ることがで
きる。また、液晶装置１０ＡのＬＥＤ２８Ａ等からの光を第１の導光板１４Ａ、第３の導
光板１４Ｃを介して表示画面Ｃに導くことができる。従って、例えば液晶装置１０Ｃには
ＬＥＤが不要であるので、液晶装置１０Ｃの構造を単純化することができると共に、ＬＥ
Ｄ等が不要となる分、低コスト化を図ることができる。
【００７０】
例えば従来の携帯電話の厚さに対して３、４ｍｍ程度の厚さの増加に抑えつつ従来の３
倍の大きさの大画面で例えば動画等を観ることができる。
【００７１】
また、例えば携帯電話１の携帯時には、第１の表示部４に対して第２の表示部５及び第
３の表示部６を折りたたむように回動させることで、携帯性を向上させることができる。
【００７２】
また、表示画面Ｂは、図２に示すように、第２の表示部５を第１の表示部４に対して回
動させたときに辺ｂに隣接する辺ｄを有し、表示画面Ｃは、第３の表示部６を第１の表示
部４に対して回動させたときに辺ａに隣接する辺ｅを有する。これにより、第１の表示部
４に対して第２の表示部５及び第３の表示部６を回動させ同一平面内に位置されたときに
（図２に示す状態）、表示画面Ａの辺ｂと表示画面Ｂの辺ｄとが例えばフレーム１１Ａの
配置される僅かな隙間を空けて隣接し、表示画面Ａの辺ａと表示画面Ｃの辺ｅとが例えば
フレーム１１Ａの配置される僅かな隙間を空けて隣接する。従って、隣り合う各表示画面
間にほぼ隙間なくなり、隣り合う各表示画面が１つの表示画面のようになる。この結果、
表示画面Ａ、表示画面Ｂ及び表示画面Ｃを一つの表示画面として、例えば動画等を観ると
きに、隣合う各表示画面間の隙間の影響が低減された表示品質の優れた動画を観ることが
できる。なお、隣合う各表示画面Ａ、Ｂが完全に接触するようにしてもよい。
【００７３】
また、第１の導光板１４Ａは、図４に示すように、液晶装置１０Ａから離れるにつれ第
１の導光板１４Ａの中心に近付くように傾斜する第１の傾斜側面３１、第２の傾斜側面３
２を有する。また、第２の導光板１４Ｂは、第１の表示部４に対して第２の表示部５を回
動させて同一平面内に位置させたときに、第１の傾斜側面３１に隣接して対向する第３の
傾斜側面３３を有する。また、第３の導光板１４Ｃは、第１の表示部４に対して第３の表
示部６を回動させて同一平面内に位置させたときに、第２の傾斜側面３２に隣接して対向
する第４の傾斜側面３４を有する。
【００７４】
これにより、第１の表示部４に対して第２の表示部５及び第３の表示部６を回動させて
同一平面内に位置させたときに、第１の傾斜端面３１と第３の傾斜側面３３とが隣接し、
第２の傾斜端面３２と第４の傾斜側面３４とが隣接する。すなわち、第１の表示部４、第
２の表示部５及び第３の表示部６を同一平面内に位置させたときに、図４に示すように、
第１の傾斜側面３１と第３の傾斜側面３３とが隣接して略平行に向かい合い、第２の傾斜
側面３２と第４の傾斜側面３４とが隣接して略平行に向かい合う。従って、第１の導光板
１４Ａを通過する光を第１の傾斜側面３１、第３の傾斜側面３３を介して第２の導光板１
４Ｂを通過させて表示画面Ｂを明るくしたり、第１の導光板１４Ａを通過する光を第２の
傾斜側面３２、第４の傾斜側面３４を介して第３の導光板１４Ｃを通過させて表示画面Ｃ
を明るくしたりすることができる。
【００７５】
また、表示画面Ａと表示画面Ｂとの間及び表示画面Ａと表示画面Ｃとの間に光を導くこ
とができ、表示画面Ａと表示画面Ｂとの間及び表示画面Ａと表示画面Ｃとの間での表示性
能を向上させることができる。
【００７６】
更に、液晶装置１０Ａは辺ｅに沿うように配設された複数のＬＥＤ２８Ａ〜２８Ｅを備
え、ＬＥＤ２８Ａは、射出面からの光が第２の導光板１４Ｂに導かれるように射出面を第
２の導光板に向けて配設されており、ＬＥＤ２８Ｅは、射出面からの光が第３の導光板１
４Ｃに導かれるように射出面を第３の導光板１４Ｃに向けて配設されている。これにより
、ＬＥＤ２８Ａ、ＬＥＤ２８Ｅの射出面からの光を第２の導光板１４Ｂ及び第３の導光板
１４Ｃに効率よく導くことができる。
【００７７】
また、第１の表示部４は、第１の表示部４に対する第２の表示部５の折りたたみに伴い
第１の傾斜側面３１を覆う第１の被覆部材３５と、第１の表示部４に対する第３の表示部
６の折りたたみに伴い第２の傾斜側面３２を覆う第２の被覆部材３６を備えている。これ
により、第１の表示部４に対して第２の表示部５及び第３の表示部６を折りたたんだとき
に（図５に示す状態）、液晶装置１０Ａの第１の傾斜側面３１及び第２の傾斜側面３２を
第１の被覆部材３５及び第２の被覆部材３６により覆うことができる。従って、この折り
たたみ時に、第１の傾斜側面３１及び第２の傾斜側面３２が露出して光漏れ等が発生する
ことを防止することができる。
【００７８】
更に、回動軸Ｏ２は、図４に示すように、第２の表示部５の厚さｈに応じて、回動軸Ｏ
１（第１の表示部４）より第１の表示部４から距離Ｅだけ離れて配置されている。これに
より、第１の表示部４に対して第２の表示部５が折りたたまれた状態で、さらに第３の表
示部６を折りたたむことができる。従って、薄型化を図りつつ携帯性に優れた携帯電話１
を得ることができる。
【００７９】
（第１の変形例）
【００８０】
次に、本発明に係る第１の変形例の携帯電話について説明する。なお、本変形例以降に
おいては、上記実施形態と同一の構成部材等には同一の符号を付しその説明を省略し、異
なる箇所を中心に説明する。
【００８１】
図９は本発明に係る第１の変形例の携帯電話の概略断面図、図１０は図９の携帯電話の
折りたたみ時の概略断面図である。
【００８２】
本変形例の携帯電話１´は、実施形態の携帯電話１に比べて、第１、第２及び第３の導
光板１４Ａ、１４Ｂ及び１４Ｃの代わりに第４の導光板１４´が用いられている点が異な
る。
【００８３】
携帯電話１´は、図９に示すように、液晶パネル１２Ａ、１２Ｂ及び１２Ｃに平面的に
重なるように表示画面Ａ側とは反対側に配置された一枚の第４の導光板１４´を備えてい
る。第４の導光板１４´は、一体的に構成されている。第４の導光板１４´は、図１０に
示すように、第１の表示部４に対する第２の表示部５及び第３の表示部６の閉じる方向へ
の回動に伴い辺ａ、ｂの付近で曲がるように構成されている。第４の導光板１４´の構成
材料には、例えば樹脂材料であるポリカーボネートが用いられている。
【００８４】
また、携帯電話１´は、図１０に示すように、第１の表示部４に対して第２の表示部５
及び第３の表示部６が折りたたまれたときに、折り曲げられた第４の導光板１４´を被覆
するように第３の被覆部材３５´、第４の被覆部材３６´が配置されている。第３の被覆
部材３５´は例えばフレーム１１Ａ、１１Ｂに固定され、第４の被覆部材３６´は例えば
フレーム１１Ａ、１１Ｃに固定されている。なお、第１の被覆部材３５、第２の被覆部材
３６と同様に、折りたたんだときに、所定の位置から第３の被覆部材３５´、第４の被覆
部材３６´が引き出され、逆に、第１の表示部４、第２の表示部５及び第３の表示部６が
同一平面内に位置するようにした場合に、所定の位置に第３の被覆部材３５´、第４の被
覆部材３６´が巻き取られるようにしてもよい。
【００８５】
このような構成によれば、携帯電話１´は、一体的に形成され第１の表示部４に対する
第２の表示部５、第３の表示部６の閉じる方向への回動に伴い曲がる第４の導光板１４´
を備えているので、例えば一枚の第４の導光板１４´によりＬＥＤ２８Ａ等からの光を、
例えば光漏れを防止しつつ表示画面Ｂ、表示画面Ｃに導くことができる。
【００８６】
また、第４の導光板１４´は、材質が例えば樹脂であるポリカーボネートである。これ
により、例えば第１の表示部４に対して第２の表示部５及び第３の表示部６の回動させる
ときに、第４の導光板１４´を容易に曲げるようにすることができる。
【００８７】
更に、第１の表示部４に対して第２の表示部５及び第３の表示部６が折りたたまれたと
きに、折り曲げられた第４の導光板１４´を被覆するように第３の被覆部材３５´、第４
の被覆部材３６´が配置されている。これにより、折り曲げられた第４の導光板１４´か
ら光が漏れることを防止することができる。
【００８８】
（第２の変形例）
【００８９】
次に、本発明に係る第２の変形例の携帯電話について説明する。
【００９０】
図１１は本発明に係る第２の変形例の携帯電話の部分概略正面図である。
【００９１】
本変形例の携帯電話１００は、実施形態の携帯電話１に比べて、光ファイバ４０、４１
を備えている点が異なるので異なる箇所を中心に説明する。
【００９２】
本変形例の携帯電話１００は、図１１に示すように、ＬＥＤ２８Ａから射出された光を
第２の導光板１４Ｂに導く光ファイバ４０と、ＬＥＤ２８Ｅから射出された光を第３の導
光板１４Ｃに導く光ファイバー４１とを備えている。
【００９３】
光ファイバ４０は、図１１に示すように、例えばその一端がＬＥＤ２８Ａの光の射出面
に接触するように配置され、他端が辺ｃに平行な方向で第２の導光板１４Ｂの中央位置ま
で引き回されている。
【００９４】
光ファイバ４１は、図１１に示すように、例えばその一端がＬＥＤ２８Ｅの光の射出面
に接触するように配置され、他端が辺ｃに平行な方向で第３の導光板１４Ｃの中央位置ま
で引き回されている。
【００９５】
このような構成によれば、ＬＥＤ２８Ａ、２８Ｅの光を光ファイバー４０、４１により
第２の導光板１４Ｂ、第３の導光板１４Ｃに導き、表示画面Ｂ、表示画面Ｃの明るさを向
上させることができる。
【００９６】
（第３の変形例）
【００９７】
次に、本発明に係る第３の変形例の携帯電話について説明する。
【００９８】
図１２は本発明に係る第３の変形例の携帯電話の部分概略正面図である。
【００９９】
本変形例の携帯電話２００は、図１２に示すように、実施形態の携帯電話１に比べて第
１の導光板１４Ａの代わりに第５の導光板６０を備えている点が異なるので異なる箇所を
中心に説明する。
【０１００】
本変形例の携帯電話２００は、図１２に示すように、ＬＥＤ２８Ｂ、ＬＥＤ２８Ｄから
射出された光を屈折させるプリズム状の凹部６１、６２を有する第５の導光板６０を備え
ている。
【０１０１】
プリズム状の凹部６１は、ＬＥＤ２８Ｂから射出された光を第２の導光板１４Ｂ側に屈
折させる。プリズム状の凹部６２は、ＬＥＤ２８Ｄから射出された光を第３の導光板１４
Ｃ側に屈折させる。
【０１０２】
このような構成によれば、ＬＥＤ２８Ｂから射出された光をプリズム状の凹部６１によ
り第２の導光板１４Ｂ側に屈折させることができる。これにより、ＬＥＤ２８Ｂから射出
された光を表示画面Ｂに導き、表示画面Ｂの明るさを向上させることができる。また、Ｌ
ＥＤ２８Ｄから射出された光をプリズム状の凹部６２により第３の導光板１４Ｃ側に屈折
させることができる。これにより、ＬＥＤ２８Ｄから射出された光を表示画面Ｃに導き、
表示画面Ｃの明るさを向上させることができる。
【０１０３】
なお、上記実施形態及び変形例では、５個のＬＥＤ２８Ａ〜ＬＥＤ２８Ｅを備える例を
示した。しかし、ＬＥＤの数はこれに限定されない。ＬＥＤの数を３個に低コスト化を図
ってもよいし、５個以上にしてもよい。
【０１０４】
また、第２の変形例では、実施形態と同様に配設されたＬＥＤ２８Ａ〜２８Ｂを用いる
例を示した。しかし、ＬＥＤの配設位置はこれに限定されない。例えば、各ＬＥＤの光の
射出面が例えば第１の導光板１４Ａの辺ｃに平行な端面に対向するように複数のＬＥＤを
直線状に配設し、両端の位置に配設されたＬＥＤから光を第２の導光板１４Ｂ、第３の導
光板１４Ｃに導くようにしてもよい。このようにしても、ＬＥＤの光を光ファイバにより
第２の導光板１４Ｂ、第３の導光板１４Ｃに導き、表示画面Ｂ、表示画面Ｃの明るさを向
上させることができる。
【０１０５】
更に、上記実施形態及び変形例では、ヒンジ部４Ａ、ヒンジ部５Ａで構成されたヒンジ
機構及びヒンジ部４Ｂ、ヒンジ部６Ａで構成されたヒンジ機構を示した。しかし、ヒンジ
機構については、これに限定されない。
【０１０６】
図１３は本発明に係る携帯電話のヒンジ機構の一例を示す概略背面図である。
【０１０７】
例えば、図１３に示すように、携帯電話３００は、携帯電話１に比べて、ヒンジ機構の
みが異なっているので、ヒンジ機構について説明する。
【０１０８】
第１の表示部４は、第２の表示部５側かつ表示画面Ａの長手方向の両端部に、第２の表
示部５側に突出するように配設された二個のヒンジ部３０１、３０２を備えている。また
、第１の表示部４は、第３の表示部６側かつ表示画面Ａの長手方向の両端部に、第３の表
示部６側に突出するように配設された二個のヒンジ部３０３、３０４を備えている。第２
の表示部５は、ヒンジ部３０１、３０２に挟まれるように第１の表示部４側に突出するヒ
ンジ部５００を備えている。第３の表示部６は、ヒンジ部３０３、３０４に挟まれるよう
に第１の表示部４側に突出するヒンジ部６００を備えている。
【０１０９】
このような構成によっても、表示画面Ａ、表示画面Ｂ及び表示画面Ｃが同一平面内に配
設され一つの大画面を形成することができ、大画面で例えば動画等を観ることができる。
また、例えば、携帯時には、第１の表示部４に対して、第２の表示部５及び第３の表示部
６が折りたたみ小型化することができる。
【０１１０】
更に、例えば上記実施形態では、図５に示すように、第１の表示部４の表示画面Ａ側と
は反対側の面が第２の表示部５の表示画面Ｂ側とは反対側の面に対向するように折りたた
まれており、第２の表示部５の表示画面Ｂが第３の表示部６の表示画面Ｃ側とは反対側の
面に対向するように折りたたまれている例を示した。しかし、各表示部４、５及び６の折
りたたみ方はこれに限定されない。
【０１１１】
図１４は本発明に係る別の回動機構を備えた携帯電話の断面図である。
【０１１２】
携帯電話７００は、フレーム１１Ａとフレーム１１Ｂとを回動可能に接続する回動機構
としてのヒンジ部４Ａ´と、フレーム１１Ａとフレーム１１Ｃとを回動可能に接続する回
動機構としてのヒンジ部４Ｂ´とを備えている。上記実施形態と同様に、ヒンジ部４Ａ´
は、第１の表示部４に対する第２の表示部５の回動の軸となる回動軸Ｏ１を有している。
ヒンジ部４Ｂ´は、第１の表示部４に対する第３の表示部６の回動の軸となる回動軸Ｏ２
を有している。
【０１１３】
例えば、第２の表示部５の表示画面Ｂが第１の表示部４の表示画面Ａに対向するように
折りたたまれ、第３の表示部６の表示画面Ｃ側とは反対側の面が第１の表示部４の表示画
面Ａ側とは反対側の面に対向するように折りたたまれる。これにより、薄型化を図りつつ
携帯性に優れた電子機器を得ることができる。
【０１１４】
具体的な電子機器としては、携帯電話を示したが、これに限定されず、例えば、パーソ
ナルコンピュータなどの他に液晶装置が搭載されたタッチパネル、プロジェクタ、液晶テ
レビやビューファインダ型、モニタ直視型のビデオテープレコーダ、カーナビゲーション
、ページャ、電子手帳、電卓、ワードプロセッサ、ワークステーション、テレビ電話、Ｐ
ＯＳ端末等が挙げられる。そして、これらの各種電子機器の表示部として、上述した例え
ば液晶装置１０Ａ等が適用可能なのは言うまでもない。
【０１１５】
また、本発明の電子機器は、上述した例に限定されるものではなく、本発明の要旨を逸
脱しない範囲において種々変更を加えたり組み合わせたりできることは勿論である。
【０１１６】
例えば、上述の実施形態ではＴＦＴ型の液晶装置１０Ａ等について説明したがこれに限
られるものではなく、例えばＴＦＤ（Ｔｈｉｎ  Ｆｉｌｍ  Ｄｉｏｄｅ）型アクティブマ
トリックス型、パッシブマトリクス型の液晶装置であってもよい。また、プラズマディス
プレイ装置、電気泳動ディスプレイ装置、電子放出素子を用いた装置（Ｆｉｅｌｄ  Ｅｍ
ｉｓｓｉｏｎ  Ｄｉｓｐｌａｙ及びＳｕｒｆａｃｅ‐Ｃｏｎｄｕｃｔｉｏｎ  Ｅｌｅｃｔ
ｒｏｎ‐Ｅｍｉｔｔｅｒ Ｄｉｓｐｌａｙ等）などの各種電気光学装置に本発明を適用し
てもよい。
【図面の簡単な説明】
【０１１７】
【図１】本発明に係る実施形態の携帯電話の概略斜視図である。
【図２】図１の携帯電話の大画面表示時の概略斜視図である。
【図３】図１の携帯電話の大画面表示時の概略背面図である。
【図４】図２の携帯電話のＩ−Ｉ断面図である。
【図５】図１の携帯電話のＩＩ−ＩＩ断面図である。
【図６】図１の携帯電話に搭載された液晶装置の概略斜視図である。
【図７】図１の携帯電話のＬＥＤの配置を示す部分正面図である。
【図８】図１の携帯電話の表示制御系の概略構成図である。
【図９】本発明に係る第１の変形例の携帯電話の概略断面図である。
【図１０】図９の携帯電話の折りたたみ時の概略断面図である。
【図１１】本発明に係る第２の変形例の携帯電話の部分概略正面図である。
【図１２】本発明に係る第３の変形例の携帯電話の部分概略正面図である。
【図１３】本発明に係る携帯電話のヒンジ機構の一例を示す概略背面図である。
【図１４】本発明に係る別の回動機構を備えた携帯電話の断面図である。
【符号の説明】
【０１１８】
Ａ，Ｂ，Ｃ  表示画面、  ａ，ｂ，ｃ，ｄ，ｅ  辺、  Ｅ  距離、  Ｉ  表示領域、  
Ｏ１，Ｏ２  回動軸、  Ｌ，Ｒ  矢印、  Ｔ  薄膜トランジスタ素子、  １，１００，２
００，３００，５００，６００，７００  携帯電話、  ２  表示部、  ３  入力操作部、
４  第１の表示部、  ４Ａ，４Ｂ，５Ａ，６Ａ，３０１，３０２，３０３，３０４  ヒ
ンジ部、  ５  第２の表示部、  ６  第３の表示部、  １０Ａ，１０Ｂ，１０Ｃ  液晶装
置、  １１Ａ，１１Ｂ，１１Ｃ  フレーム、  １２Ａ，１２Ｂ，１２Ｃ  液晶パネル、  
１３  回路基板、  １４Ａ  第１の導光板、  １４Ｂ  第２の導光板、  １４Ｃ  第３の
導光板、  １４´  第４の導光板、  １５，１６  基板、  １５ａ  張り出し部、  １６
ａ  共通電極、  １７  シール材、  １８  ゲート電極、  １９  ソース電極、  ２０  
画素電極、  ２１  入力配線、  ２２  出力配線、  ２３  ドライバＩＣ、  ２４  偏光
板、  ２５  カバーガラス、  ２６  可撓性基材、  ２７  半導体ＩＣ、  ２８Ａ，２８
Ｂ，２８Ｃ，２８Ｄ，２８Ｅ  ＬＥＤ、  ３１  第１の傾斜側面、  ３２  第２の傾斜側
面、  ３３  第３の傾斜側面、  ３４  第４の傾斜側面、  ３５  第１の被覆部材、  ３
５´  第３の被覆部材、  ３６  第２の被覆部材、  ３６´  第４の被覆部材、  ４０、
４１  光ファイバ、  ５５，６５  下端部、  ６０  第５の導光板、  ６１、６２  凹部
【図１】
2008203483.tif 000003
【図２】
2008203483.tif 000004
【図３】
2008203483.tif 000005
【図４】
2008203483.tif 000006
【図５】
2008203483.tif 000007
【図６】
2008203483.tif 000008
【図７】
2008203483.tif 000009
【図８】
2008203483.tif 000010
【図９】
2008203483.tif 000011
【図１０】
2008203483.tif 000012
【図１１】
2008203483.tif 000013
【図１２】
2008203483.tif 000014
【図１３】
2008203483.tif 000015
【図１４】
2008203483.tif 000016